(57)【要約】【課題】グロメットの取付けを簡易化したグロメット組立体を提供する。【解決手段】グロメット11と拡縮部材13との組み合わせからなる。拡縮部材13は、固定スリーブ29と、移動スリーブ31と、移動スリーブから補助フランジ部に向けて放射状に広がる多数のアーム33と、各アームの先端部にヒンジ部37を介して設けられたフック部39と、固定スリーブの先端部とアームの中間部をつなぐ多数のリンク35とを有する。拡縮部材のフック部39をグロメットの補助フランジ部17に取り付ける。移動スリーブ31が後退しているときは、放射状アーム33の開きが小さく、フック部39がグロメットの補助フランジ部17を内側に引き寄せて補助フランジ部を縮径した状態に保ち、移動スリーブ31を前進させると、放射状アーム33の開きが大きくなり、フック部39が外側へ転回して補助フランジ部17を拡径した状態に保つようになっている。【選択図】図１
2008130512.tif 000002
【特許請求の範囲】
【請求項１】
グロメット（１１）と拡縮部材（１３）との組み合わせからなり、
前記グロメット（１１）は、隔壁の穴の片側の縁にセットされる主フランジ部（１５）と、前記穴を縮径した状態で通過した後拡径して前記穴の反対側の縁にセットされる補助フランジ部（１７）と、両フランジ部の間の環状溝（１９）の底を形成する溝底筒部（２１）と、前記補助フランジ部側でワイヤーハーネス等の長尺体に固定される前記溝底筒部より内径が小さい小径筒部（２３）と、前記補助フランジ部と小径筒部とをつなぐ連結筒部（２５）とを有するものからなり
前記拡縮部材（１３）は、前記主フランジ部側で前記長尺体に固定される固定スリーブ（２９）と、この固定スリーブの外周に軸線方向にスライド可能に装着された移動スリーブ（３１）と、この移動スリーブに基端を軸支され、前記補助フランジ部に向けて放射状に広がる多数のアーム（３３）と、各アームの先端部にヒンジ部（３７）を介して設けられたフック部（３９）と、前記固定スリーブの先端部に基端を軸支され、先端が前記アームの中間部にアーム長手方向に移動可能に軸支された多数のリンク（３５）とを有するものからなり、
前記グロメット（１１）と拡縮部材（１３）は、拡縮部材のフック部（３９）をグロメットの補助フランジ部（１７）に取り付けることにより組み合わされており、
前記移動スリーブ（３１）が固定スリーブ（２９）に対し相対的に後退しているときは、放射状アーム（３３）の開き方が小さく、フック部（３９）がグロメットの補助フランジ部（１７）を内側に引き寄せて補助フランジ部を縮径した状態に保ち、前記移動スリーブを固定スリーブに対し相対的に前進させると、放射状アーム（３３）の開き方が大きくなり、フック部（３９）がヒンジ部（３７）を中心として外側へ転回して補助フランジ部（１７）を拡径した状態に保つようになっていることを特徴とするグロメット組立体。
【請求項２】
固定スリーブ（２９）に、移動スリーブが前進位置に来て補助フランジ部が拡径した状態になったときに、移動スリーブを当該前進位置に保つストッパー（４５）を設けてあることを特徴とする請求項１記載のグロメット組立体。
【請求項３】
グロメットの連結筒部（２５）が蛇腹状に形成されていることを特徴とする請求項１又は２記載のグロメット組立体。
【請求項４】
グロメットの補助フランジ部（１７）と溝底筒部（２１）の境目に、補助フランジ部を小径筒部側へ倒れやすくするための薄肉部（２７）が設けられていることを特徴とする請求項１ないし３のいずれかに記載のグロメット組立体。
【発明の詳細な説明】
【技術分野】
【０００１】
本発明は、ワイヤーハーネスや電線等の長尺体が、自動車のパネル等の隔壁に形成された穴を貫通する部分に使用するグロメット組立体に関するものである。
【背景技術】
【０００２】
従来の一般的なグロメットは、外径が隔壁の穴径より大きい主フランジ部と、外径が前記穴径より大きく主フランジ部の外径より小さい補助フランジ部と、この二つのフランジ部の間の環状溝の底を形成する溝底筒部と、ワイヤーハーネス等が挿入される前記溝底筒部より内径が小さい小径筒部と、この小径筒部と前記補助フランジ部とをつなぐ連結筒部とを有している。グロメットは、そこにワイヤーハーネス等を挿通し、小径筒部をテープ巻きによりワイヤーハーネス等に固定した状態で使用される（特許文献１参照）。
【０００３】
グロメットを隔壁の穴に取り付ける場合には、補助フランジ部を穴に入る大きさに弾性変形させて、穴に挿入する。主フランジ部が隔壁に突き当たるまで挿入すると、穴を通過した補助フランジ部がゴムの弾力性で元の状態に復元し、補助フランジ部と主フランジ部が隔壁の穴の縁を挟み付ける状態となる。
【０００４】
【特許文献１】特開平７−３３６０６８号公報
【発明の開示】
【発明が解決しようとする課題】
【０００５】
しかしながら、従来のグロメットは、補助フランジ部を隔壁の穴に入る大きさに手指で弾性変形させることが難しく、このため隔壁の穴への取付け作業が困難であるという問題があった。このため、特許文献１記載のグロメットは、主フランジ部の内周部に縮径用切欠き部を形成して、主フランジ部側から補助フランジ部を縮径させようとしているが、主フランジ部と補助フランジ部の間には環状溝があるため、主フランジ部を縮径させても補助フランジ部を縮径させることは困難である。
【０００６】
本発明の目的は、グロメットの補助フランジ部を縮径状態に保って隔壁の穴に挿入でき、挿入後に拡径できるようにして、グロメットの取付けを簡易化したグロメット組立体を提供することにある。
【課題を解決するための手段】
【０００７】
本発明に係るグロメット組立体は、グロメットと拡縮部材との組み合わせからなり、
前記グロメットは、隔壁の穴の片側の縁にセットされる主フランジ部と、前記穴を縮径した状態で通過した後拡径して前記穴の反対側の縁にセットされる補助フランジ部と、両フランジ部の間の環状溝の底を形成する溝底筒部と、前記補助フランジ部側でワイヤーハーネス等の長尺体に固定される前記溝底筒部より内径が小さい小径筒部と、前記補助フランジ部と小径筒部とをつなぐ連結筒部とを有するものからなり
前記拡縮部材は、前記主フランジ部側で前記長尺体に固定される固定スリーブと、この固定スリーブの外周に軸線方向にスライド可能に装着された移動スリーブと、この移動スリーブに基端を軸支され、前記補助フランジ部に向けて放射状に広がる多数のアームと、各アームの先端部にヒンジ部を介して設けられたフック部と、前記固定スリーブの先端部に基端を軸支され、先端が前記アームの中間部にアーム長手方向に移動可能に軸支された多数のリンクとを有するものからなり、
前記グロメットと拡縮部材は、拡縮部材のフック部をグロメットの補助フランジ部に取り付けることにより組み合わされており、
前記移動スリーブが固定スリーブに対し相対的に後退しているときは、放射状アームの開きが小さく、フック部がグロメットの補助フランジ部を内側に引き寄せて補助フランジ部を縮径した状態に保ち、前記移動スリーブを固定スリーブに対し相対的に前進させると、放射状アームの開きが大きくなり、フック部がヒンジ部を中心として外側へ転回して補助フランジ部を拡径した状態に保つようになっていることを特徴とするものである。
【０００８】
本発明のグロメット組立体においては、固定スリーブに、移動スリーブが前進位置に来て補助フランジ部が拡径した状態になったときに、移動スリーブを当該前進位置に保つストッパーを設けてあることが好ましい。
【０００９】
また、本発明のグロメット組立体においては、グロメットの連結筒部が蛇腹状に形成されていることが好ましい。
【００１０】
また、本発明のグロメット組立体においては、グロメットの補助フランジ部と溝底筒部の境目に、補助フランジ部を小径筒部側へ倒れやすくするための薄肉部が設けられていることが好ましい。
【発明の効果】
【００１１】
本発明に係るグロメット組立体は、放射状に配置された多数のアームにより補助フランジ部を全周にわたってほぼ均等に縮径、拡径させることができる。このため、移動スリーブを後退位置に位置させ、補助フランジ部を縮径させた状態で隔壁の穴に挿入し、主フランジ部が隔壁に突き当たったところで、移動スリーブを前進位置に移動させ、補助フランジ部を拡径させるだけで、グロメットを隔壁の穴に取り付けることができる。したがって、グロメットの取り付け作業を簡単に、効率よく行うことができる。
【発明を実施するための最良の形態】
【００１２】
図１は本発明の一実施形態を示す。グロメット組立体１０は、ゴム製のグロメット１１と、金属又は硬質樹脂製の拡縮部材１３との組み合わせからなる。
【００１３】
グロメット１１は、図２に示すように、隔壁の穴の片側の縁にセットされる主フランジ部１５と、前記穴の反対側の縁にセットされる補助フランジ部１７と、両フランジ部の間の環状溝１９の底を形成する溝底筒部２１と、補助フランジ部側でワイヤーハーネスに固定される前記溝底筒部２１より内径が小さい小径筒部２３と、補助フランジ部１７と小径筒部２３とをつなぐラッパ状の連結筒部２５とを有している。補助フランジ部１７内には、内周側から鉤形溝２７が形成されている。この鉤形溝２７は、拡縮部材のフック部（後述）を嵌め込む部分である。また連結筒部２５は伸縮性をもたせるため蛇腹状に形成されている。さらに補助フランジ部１７と溝底筒部２１の境目には、補助フランジ部１７を小径筒部２３側へ倒れやすくするための薄肉部２７が周方向に連続して設けられている。
【００１４】
一方、拡縮部材１３は、図３に示すように、グロメットの主フランジ部側でワイヤーハーネスに固定される固定スリーブ２９と、この固定スリーブ２９の外周に軸線方向にスライド可能に装着された移動スリーブ３１と、この移動スリーブ３１に基端を軸支され、前記グロメットの補助フランジ部に向けて放射状に広がる多数のアーム３３と、固定スリーブ２９の先端部に基端を軸支され、先端がアーム３３の中間部に軸支された多数のリンク３５とを備えている。各アーム３３の先端部にはヒンジ部３７を介してフック部３９が設けられている。このフック部３９はグロメットの補助フランジ部に取り付けられる部分である。リンク３５の先端とアーム３３の中間部とを連結する軸ピン４１は、アーム３３の中間部に形成された長穴４３に挿入されており、アーム長手方向に移動可能になっている。
【００１５】
図３（Ａ）、（Ｂ）は、移動スリーブ３１が固定スリーブ２９に対し相対的に前進した位置にあって、放射状のアーム３３が目一杯開いた状態であり、同図（Ｃ）、（Ｄ）は移動スリーブ３１が固定スリーブ２９に対し相対的に後退した位置にあって、アーム３３の開きが小さい状態である。このように拡縮部材１３は傘の骨組に似た動作をする。固定スリーブ２９には、移動スリーブ３１が前進位置に来たときに移動スリーブ３１を当該先進位置に保つストッパー４５が設けられている。ストッパー４５は、その上を移動スリーブ３１の先端部が通るときは固定スリーブ２９内に引っ込み、移動スリーブ３１の先端部が通り過ぎると、弾性力で移動スリーブ３１の開口４７内に突出して移動スリーブ３１の移動を阻止するようになっている。また、フック部３９は、ヒンジ部３７を中心として回動可能であり、外力に応じて図３（Ｂ）、（Ｄ）のように起きたり伏せたりすることが可能である。フック部３９が（Ｂ）のように起きたときは、ヒンジ部３７の両側の肩部３８、３８が突き当たって、起きた状態を保持できるようになっている。また、固定スリーブ２９の後端には、固定スリーブ２９をワイヤーハーネスに固定するための取付け片４９が形成されている。
【００１６】
上記のように構成されたグロメット１１と拡縮部材１３は、図１（Ａ）のように、移動スリーブ３１が前進位置にある状態で、全てのフック部３９を補助フランジ部１７の鉤形溝２７に嵌め込むことにより、組み合わせられ、グロメット組立体１０となる。このようにして組み立てられたグロメット組立体１０は、小径筒部２３及び固定スリーブ２９にワイヤーハーネスＷを挿通し、小径筒部２３と固定スリーブ２９の取付け片４９にテープ巻き５１Ａ、５１Ｂを施すことによりワイヤーハーネスＷに固定される。その後、移動スリーブ３１を後退させると、図１（Ｂ）のように、フック部３９が補助フランジ部１７を内側に引き寄せるため、補助フランジ部１７が小径筒部２３側へ倒れ込み、連結筒部２５が補助フランジ部１７の内側に入り込むように反転する。これによって補助フランジ部１７が縮径され、その状態が保持される。
【００１７】
なお、グロメット組立体１０は、グロメット１１の補助フランジ部１７を最初から図１（Ｂ）のように縮径させておいて、拡縮部材１３のフック部３９をグロメット１１の鉤形溝２７に嵌め込むことにより、組み立てることもできる。
【００１８】
図４（Ａ）〜（Ｃ）は、以上のように組み立てられたグロメット組立体を隔壁５３に取り付ける過程を示す。まず（Ａ）のように、縮径状態にある補助フランジ部１７を、隔壁５３の穴５５に挿入し、主フランジ部１５を穴５５の縁に突き当てる。その後、移動スリーブ３１を前進させと、（Ｂ）のように、放射状アーム３３が拡がりながら前進するため、フック部３９がヒンジ部３７を中心として外側へ転回して、補助フランジ部１７を拡径させる。移動スリーブ３１を最後まで前進させると、（Ｃ）のように、補助フランジ部１７が完全に拡径され、補助フランジ部１７と主フランジ部１５が隔壁５３の穴５５の縁を挟み付ける状態となる。またストッパー４５が移動スリーブ３１の移動を阻止するため、この状態が保たれる。
【００１９】
このように、このグロメット組立体１０を用いると、隔壁へのグロメットの取付けを簡単に効率よく行うことができる。
【図面の簡単な説明】
【００２０】
【図１】（Ａ）は本発明に係るグロメット組立体の一実施形態を、補助フランジ部を拡径した状態で示す断面図、（Ｂ）は補助フランジ部を縮径した状態で示す断面図。
【図２】図１のグロメット組立体を構成するグロメットの断面図。
【図３】図１のグロメット組立体を構成する拡縮部材の、（Ａ）はアームを開いた状態を示す正面図、（Ｂ）は同断面図、（Ｃ）はアームの開きを小さくした状態を示す正面図、（Ｄ）は同断面図。
【図４】（Ａ）〜（Ｃ）は図１のグロメット組立体を隔壁に取り付ける過程を示す断面図。
【符号の説明】
【００２１】
１０：グロメット組立体
１１：グロメット
１３：拡縮部材
１５：主フランジ部
１７：補助フランジ部
１９：環状溝
２１：溝底筒部
２３：小径筒部
２５：連結筒部
２７：薄肉部
２９：固定スリーブ
３１：移動スリーブ
３３：アーム
３５：リンク
３７：ヒンジ部
３９：フック部
４５：ストッパー
４７：開口
４９：取付け片
５１Ａ、５１Ｂ：テープ巻き
５３：隔壁
５５：穴
Ｗ：ワイヤーハーネス
【図１】
2008130512.tif 000003
【図２】
2008130512.tif 000004
【図３】
2008130512.tif 000005
【図４】
2008130512.tif 000006